Podtech/llm-jp-corpus-v4-ja_patent huggingface dataset:
(57)【要約】【課題】  従来の屋上緑化装置１への散水は、水道水を使用し、管理人が屋上の屋上緑化装置１の乾燥状況を確認し、散水施設を稼働させていた。また肥料の散布についても、人力により肥料散布するか、または肥料散布施設が必要となり、屋上緑化装置１のメンテナンス費が多大になっていた。【解決手段】  雨水を貯水し、自動的に散水することにより、屋上緑化装置１の見回りだけでよく、また肥料散布については、貯水タンク４に肥料を投入するだけでよく、メンテナンス費の大幅な削減を計る。また豪雨時に、貯水タンク４に雨水を貯水することにより、洪水調整を行うことが出来る。また雑用水貯水タンクを設置することにより、雑用水の水源としても可能である。【選択図】        図２
2006006300.tif 000002
【特許請求の範囲】
【請求項１】
集合住宅及び商業ビル等の屋上に設置した屋上緑化装置１に降った雨水を排水ピット２に集め、貯水管３を通して、地上部に設置した貯水タンク４に集める。
【請求項２】
屋上緑化施設１の湿潤状況により、貯水タンク４に貯水している雨水を、配水水中ポンプ７により、屋上の屋上緑化装置１に散水するシステム。
【請求項３】
屋上に設置した雑用水貯水タンク１６に、地上に設置した貯水タンク４より送水し、雑用水貯水タンク１６内の雨水を、雑用水として利用するシステム
【発明の詳細な説明】
【産業上の利用分野】
【０００１】  本発明は、集合住宅や商業ビル等の屋上に、ヒートアイランド現象等の対策として設置されている屋上緑化装置１に、散水として雨水を使用するシステム、豪雨時における雨水の貯水、およびトイレ等の雑用水として雨水を利用するシステムに関するものである。
【背景技術】
【０００２】  屋上緑化装置１は、大都市のヒートアイランド現象の対策として、最近採用されるようになってきた。散水については、上水道を使用している。そのため水道料金が多大に必要となり、経済的に負担となっている。そのために屋上緑化装置１が普及しにくかった。また上水道の使用増加は、すなわちダム施設及び浄水場等の建設が必要となり、自然破壊の原因になっている。
【発明から解決しようとする課題】
【０００３】  ヒートアイランド現象対策として、行政が主導し、屋上緑化装置１が施工されるようになってきた。しかし屋上緑化の維持管理は専門的な知識が必要となり、また散水についても、非常な労力が必要である。また水道代等の費用が莫大になり、メンテナンス費用が高くなり、財政的負担が大きかった。
その対策として、屋上に降った雨水を自動的に貯水タンク４に集め、屋上緑化装置１の湿潤状況により自動的に、貯水タンク４内の雨水を散水する。
またトイレ等の雑用水として、貯水タンク４内の雨水を、雑用水貯水タンク１６に送水し、雨水を使用することが可能となった。
管理労力の削減、水道水の使用量削減、肥料水の自動散布および豪雨時における洪水調整に役立つ
【課題を解決するための手段】
【０００４】  本発明はヒートアイランド現象対策に採用されている屋上緑化装置１のメンテナンスの自動化、管理の簡素化、雑用水への雨水の利用、豪雨による都市洪水対策、および雑用水への雨水の利用を主な特徴としている。
【発明を実施するための最良の形態】
【０００５】  本発明のうち、雨水貯水システムは、雨の降った場合、集合住宅や商業ビル等のスラブ上に設置した屋上緑化施設１を通して、雨水が排水ピット２に流入する。貯水管３を通して貯水タンク４に送水する。貯水タンク４が満水になった場合、貯水タンク４に取り付けられている貯水タンクオーバーフロー管５により排水溝６に排水される。
また  晴天等が続くこと等により、貯水タンク４内の貯水量が減少した場合については、配水用水位電極棒１２により、上水道管に設置された上水道電磁弁１１が開き、水道水を貯水タンク４にいれる。【０００６】  散水システムについては、屋上緑化装置１内に設置された水分関知装置２０により、水分が不足すると、貯水タンク４内の配水管８に取り付けた配水水中ポンプ７が作動し、配水管８を通して、屋上緑化装置１内に散水させる。散水量については、一定になるように配水水中ポンプ７の作動時間を調整する。配水水中ポンプ７の電源が切れると、雨水が配水管８を逆流するため、配水チャッキ弁９を設置し、逆流を防止する。【０００７】  貯水タンク４から直接配水管８を通して、屋上緑化装置１へ散水するため、貯水タンク４内に液体肥料を入れることにより、屋上緑化装置１への肥料散布を、自動化することが可能となった。【０００８】  雑用水としての雨水利用については、屋上に雑用水貯水タンク１６を設置し、雑用水貯水タンク１６内に設置された雑用水水位電極棒１７により、貯水タンク４内の雑用水水中ポンプ１３が作動し、雑用水連絡管１５を通して、雨水を雑用水貯水タンク１６へ送水する。各雑用水系統へは、雑用水貯水タンク１６から自然流下させる。【０００９】  建築物が高く、地上部に設置された貯水タンク４から屋上緑化装置へ雨水を送水出来ない場合は、貯水タンク４を屋上に設置する。
【発明の効果】
【００１０】  雨水を使用することにより、水道水の使用を抑制することが可能となった。
【００１１】  貯水タンク４から直接配水管８を通して散水するため、散水及び肥料散布の自動化が可能になった。
【００１２】  豪雨の時の洪水調整機能を持たすことが可能になった。
【００１３】  雨水を雑用水として利用することが可能になった。
【図面の簡単な説明】
【図１】雨水貯水システム図
【図２】雨水散水システム図
【図３】雑用水利用システム図
【図４】散水平面図
【図５】水分感知装置図
【図６】貯水タンク屋上設置雨水貯水システム図
【図７】貯水タンク屋上設置雨水散水システム図
【符号の説明】
１…屋上緑化装置
２…排水ピット
３…貯水管
４…貯水タンク
５…貯水タンクオーバーフロー管
６…排水溝
７…配水水中ポンプ
８…配水管
９…配水チャッキ弁
１０…上水道管
１１…上水道電磁弁
１２…配水用水位電極棒
１３…雑用水水中ポンプ
１４…雑用水チャッキ弁
１５…雑用水連絡管
１６…雑用水貯水タンク
１７…雑用水水位電極棒
１８…雑用水電磁弁
１９…雑用水配水管
２０…水分感知装置
２１…ボールタップ付貯水水中ポンプ
２２…配水ピットオーバーフロー管
【図１】
2006006300.tif 000003
【図２】
2006006300.tif 000004
【図３】
2006006300.tif 000005
【図４】
2006006300.tif 000006
【図５】
2006006300.tif 000007
【図６】
2006006300.tif 000008
【図７】
2006006300.tif 000009
(57)【要約】      （修正有）【課題】従来は犬猫小動物の爪及び口ばしはどこまで切断すれば良いかわからず深爪する恐れがあり、初心者には適切な切断が困難であった。【解決手段】爪切りの切断刃部にライトを設け、爪及び口ばしの内部神経を透かし見る事により切断を容易にした。【選択図】図３
2006006294.tif 000002
【特許請求の範囲】
【請求項１】
ライトにより爪及び口ばし内部神経を透かし切断する切断機。
【発明の詳細な説明】
【発明の詳細な説明】
【技術分野】
【０００１】  本発明は、犬猫小動物の爪及び鳥の口ばしを切断する切断機に関する物である。
【背景技術】
【０００２】  動物病院、ペットショップ及び経験者がカンにより行っていた。
【発明が解決しようとする課題】
【０００３】  犬猫小動物の爪及び鳥の口ばしは、どこまで切断すれば良いのか判らず、深爪する恐れもあり初心者には切断が困難であった。
【課題を解決するための手段】
【０００４】  爪切り機先端に設けられたライトにより、爪及び口ばし内部（神経）を透視することができ、初心者にも容易に切断が可能となり上記課題を解決したものである。
【実施例】
【０００５】  本発明のライト付犬猫小動物爪切り及び鳥くちばし切り機は、全体図に示されるように従来の爪切りのグリップ部に乾電池及びスイッチが取り付けられ、部分拡大図１のように切断刃部分にライト及び、ライトシェードが取り付けられている。【０００６】  部分拡大図２のように爪及び口ばしを切断刃部に差し入れ、ライトを点灯させることにより内部神経を透かし、確認しやすくする。【０００７】  次に動作について説明する。ライトにより透けて見える内部神経を刃先で切断せぬようにグリップ部を握りこみ、爪及び口ばしを切断する。
【発明の効果】
【０００８】  以上のように請求項１記載の発明によれば、未経験者でも安全かつ容易に爪及び口ばしの内部神経を傷つけることなく切断可能にするものである。
2006006294.tif 000003
【手続補正書】
【提出日】平成16年9月17日(2004.9.17)
【手続補正２】
【補正対象書類名】明細書
【補正対象項目名】全文
【補正方法】変更
【補正の内容】
【発明の詳細な説明】
【発明の詳細な説明】
【技術分野】
【０００１】
【技術分野】  本発明は、犬猫小動物の爪及び鳥の口ばしを切断する切断機に関する物である。【０００２】
【背景技術】  動物病院、ペットショップ及び経験者がカンにより行っていた。【０００３】
【発明が解決しようとする課題】
犬猫小動物の爪及び鳥の口ばしは、どこまで切断すれば良いのか判らず、深爪する恐れもあり初心者には切断が困難であった。
【０００４】
【課題を解決するための手段】
爪切り機先端に設けられたライトにより、爪及び口ばし内部（神経）を透視することができ、初心者にも容易に切断が可能となり上記課題を解決したものである。
【０００５】
【実施例】  本発明のライト付犬猫小動物爪切り及び鳥くちばし切り機は、全体図に示されるように従来の爪切りのグリップ部に乾電池及びスイッチが取り付けられ、図１のように切断刃部分にライト及び、ライトシェードが取り付けられている。【０００６】  図２のように爪及び口ばしを切断刃部に差し入れ、ライトを点灯させることにより内部神経を透かし、確認しやすくする。【０００７】  次に動作について説明する。ライトにより透けて見える内部神経を刃先で切断せぬようにグリップ部を握りこみ、爪及び口ばしを切断する。【０００８】
【発明の効果】
以上のように請求項１記載の発明によれば、未経験者でも安全かつ容易に爪及び口ばしの内部神経を傷つけることなく切断可能にするものである。
【図面の簡単な説明】
【図１】刃部拡大図    犬猫小動物爪及び鳥くちばしを切断する刃部を横から見た拡大図である。
【図２】刃部使用時拡大図    例である犬の爪の切断に使用したときの刃部の動きを示した横から見た拡大図である。
【図３】全体図    ライト付犬猫小動物爪切り及び鳥くちばし切り機の全体図である。
【符号の説明】
（図１）（ライトシェード）は、ライトの光が直接作業者の目に入らないようにするための物である。
（図１）（ライト）は、爪及びくちばしの内部神経を透かすためのものである。
（図１）（爪切り機）は、従来より存在する犬猫小動物爪切り及び鳥くちばし切り機である。
（図２）（爪及び内部神経）は、例にあげた犬の爪の構造を示したものである。
（図３）（ソケット）は、電池を格納するホルダーである。
（図３）（スイッチ）は、ライトを点灯及び消灯させるスイッチである。
【手続補正３】
【補正対象書類名】図面
【補正対象項目名】全図
【補正方法】変更
【補正の内容】
【図１】
2006006294.tif 000004
【図２】
2006006294.tif 000005
【図３】
2006006294.tif 000006
(57)【要約】      （修正有）【課題】火の付いたタバコを灰皿に乗せても、電気、電池等を使用せずに副煙流が出ない、灰が毀れない、小型で移動が可能な灰皿を提供する。【解決手段】蓋２の付いた缶、筒１からなり、蓋２の上部に複数の穿設を設け、下底部にも穿設を設け、その上に密目網６を張り付けてタバコの煙が消えないように空気を取り入れ、さらに缶、筒１に火の付いたタバコ９を挿入する穿設を設け、その下部に火の付いたタバコ９を乗せるつば（皿）４を設け、蓋２の内部にフィルター（メラミン、スポンジ）７を設ける。【選択図】図２
2006006296.tif 000002
【特許請求の範囲】
【請求項１】
消煙灰皿は蓋付き缶、筒からなり、蓋上部に複数の穿設を設け、下底部にも穿設を設け、密目網を張り付けた消煙灰皿。
【請求項２】
缶、筒の横面に穿設を設け、下部に受けつば（皿）を設けた、請求項１に係する消煙灰皿。
【請求項３】
消煙灰皿、蓋にメラミン、スポンジ（フィルター）を設けたことと、請求項１、請求項２に係する消煙灰皿。
【発明の詳細な説明】
【技術分野】
【０００１】本発明は灰皿に関する。
【背景技術】
【０００２】従来に電気、電池式の消煙灰皿が使用され利点もある。
【発明の開示】
【発明が解決しようとする課題】
【０００３】しかしながら、消煙灰皿は電気、電池構造のため、灰皿の清掃を簡単に出来ず、電気、電池のない時、使用不能となり不利がある。
【課題を解決するための手段】
【０００４】本発明は灰皿から灰が毀れない、煙が出ないために、蓋付き缶、筒の構造からなり蓋に複数の穿設を設け缶、筒本体の下底部にも穿設密目網を張り付け、缶、筒、底に足台を設け蓋の内部にメラミン、スポンジ（フィルター）を設けて上部課題を解決とする。
【発明の効果】
【０００５】本発明は、灰皿に火の付いたタバコを挿入しても、煙が出ない、灰も毀れない、電気、電池を使用されないため、故障がない、小型のため移動が簡単で色々な場所で使用が出来、灰皿の清掃が簡単にできる効果がある。
【発明を実施するための最良の形態、実施例】
【０００６】本発明の消煙灰皿は、図１に示すように蓋付きの缶、筒の構成からなり、蓋上部に複数の穿設を設け、蓋の内部にフィルター（メラミン、スポンジ）を設け、缶、筒の下底部穿設も設け、密目網を張り付け、そこからタバコの火が消えないように空気（酸素）を取り入れられ、下底部に足台を数個設けられる。
また、図２に示す、缶、筒本体に火の付いたタバコを挿入する穿設と下部に火の付いたタバコを乗せるつば（皿）を設け、缶、筒の内部に突設と乗せ台の先端部に複数の穿設構成で、火の付いたタバコの煙、ニコチン、タールをフィルター（メラミン、スポンジ）が吸着することで最良の実施例となる。
【図面の簡単な説明】
【図１】本発明に係る消煙灰皿の全体工程図である。
【図２】本発明に係る消煙灰皿の断面図と内部図である。
【符号の説明】
１    缶、筒
２    蓋
３    穿設
４    つば、皿
５    穿設
６    密目網
７    フィルター（メラミン、スポンジ）
８    缶、筒（足台）
９    火の付いたタバコ
【図１】
2006006296.tif 000003
【図２】
2006006296.tif 000004
(57)【要約】【課題】  デンタルＸ線撮影時において、照射筒を透明にして、且つ照射筒の先端に位置付け用マークを配置して、被験者の撮影部位に容易に素早く位置付けができることを特徴とするデンタルＸ線撮影装置を提供する。【解決手段】  デンタルＸ線撮影において、被験者の撮影部位を位置付けする照射筒の色を透明にして、その先端に位置付け用マークを配置して被験者の位置付け時に、そのマークを見ながら被験者の撮影部位に合わすことにより容易に位置付けが可能となる。このように透明な照射筒を使用し、且つその先端に位置付け用マークを配置することで、被験者の撮影部位の位置付けが簡単で短時間に素早く行うことができる。【選択図】  図３
2006006779.tif 000002
【特許請求の範囲】
【請求項１】
Ｘ線発生器に照射筒を組み合わせ、撮影する部位に照射筒先端を合わせて撮影を行う、所謂デンタルＸ線撮影装置において、被験者の顎顔面の撮影部位への位置付けを行う照射筒の先端に、被験者の顎顔面の撮影部位への位置付けを容易に行なうための位置付け手段を設けたことを特徴とするデンタルＸ線撮影装置。
【請求項２】
前記位置付け手段が、照射筒先端部のＸ線照射の中心位置を表示することを特徴とする請求項１に記載のデンタルＸ線撮影装置。
【請求項３】
前記位置付け手段が、照射筒先端部のＸ線照射の中心より外径方向に向かって十字状ラインが設けられていることを特徴とする請求項１及び請求項２に記載のデンタルＸ線撮影装置。
【請求項４】
前記位置付け手段の位置付け用マークプレートが厚さ０．５mm以下の樹脂製プレートあるいはフィルム状であることを特徴とする請求項１と請求項２及び請求項３に記載のデンタルＸ線撮影装置。
【発明の詳細な説明】
【技術分野】
【０００１】
本発明は、デンタルＸ線撮影装置に関する。
【０００２】
さらに詳しくは、デンタルＸ線撮影時において、Ｘ線発生器と組み合わせて使用する照射筒の先端に位置付け手段を設け、被験者の撮影部位への位置付けを容易にしたデンタルＸ線撮影装置に関する。
【背景技術】
【０００３】
従来、デンタル撮影において、被験者への位置付けを行うのに照射筒の外周に入れられた位置付け用ラインを使用し、術者が目視で位置付け用ラインを延長して被験者の顎顔面に焦点位置を定める方法がある。また照射筒の先端に光学系のビームを設け、被験者の顎顔面に当てる方法がある。照射筒に入れられた位置付け用ラインを利用して、術者が目視で位置付けを行うものは、位置付けに時間を要し、且つ術者の経験が必要となる。また光学系ビームにより位置付けを行うものは、光学系あるいは制御系のメンテナンスが必要となる。
【発明の開示】
【発明が解決しようとする課題】
【０００４】
本発明は、以上の状況を鑑みなされたもので、その解決しようとする課題は、以下の通りである。デンタルＸ線撮影において、被験者への位置付けを行う場合、照射筒の外周に引かれた位置付け用ラインを利用して術者が目視で位置付け用ラインを延長させ、被験者の撮影部位に焦点位置を定める。あるいは、光学系のビームを利用する場合は、その光学系あるいは制御系のメンテナンスが必要となる。このように被験者の撮影部位を容易に位置付けすることは、時間を要し且つ術者の経験が必要になる。
【課題を解決するための手段】
【０００５】
デンタルＸ線撮影において、被験者の撮影部位を位置付けする照射筒の色を透明にして、且つ、その先端に位置付け用マークを配置して被験者への位置付け時に、そのマークを見ながら照射筒の先端を被験者の撮影部位に合わすことにより容易に位置付けが可能となる。このように透明な照射筒を使用し、且つその先端に位置付け用マークを配置することで、被験者の撮影部位への位置付けが簡単で短時間に行うことができる。
【発明の効果】
【０００６】
デンタルＸ線撮影において、透明な照射筒を使用し、且つその先端に位置付け用マークを配置することにより被験者の撮影部位への位置付けが簡単で短時間に素早くできる。また術者の経験による位置付けが不要となる。且つ光学系のビーム等の使用も行わないためコストが安く、メンテナンスも不要になる。
【発明を実施するための最良の形態】
【０００７】
デンタルＸ線撮影装置において、照射筒を透明にし、照射筒先端に位置付け用マークを設けることにより、被験者への位置付け時、照射筒側面から位置付け用マークを覗き、照射野中心を撮影部位に合わすことができる。
【実施例】
【０００８】
以下実施例に基づいて説明する。図１は、本発明に係るデンタルＸ線撮影装置の外観図の一例である。図２は、本発明に係るＸ線発生器の外観図の一例である。また図３(a)及び図３(b)は、本発明に係る照射筒の詳細図である。図４は、外周に位置付け用ライン７が入った照射筒の一例である。図２に示すようにＸ線発生器１のＸ線放射口前面に付設された照射筒(a)２は、外周に位置付け用ライン７の入ったもの(図４に示したものと同じ)で、術者が目視で位置付け用ライン７を延長して、被験者の撮影部位に焦点位置を定める。これは、位置付けに時間を要し、且つ術者の経験が必要である。この時、図３(a)に示す照射筒(b)３では、照射筒全体が透明になっており、その先端に照射されたＸ線の強度を損なうことが少なく、Ｘ線の透過性に優れた材質の極薄い樹脂製プレートあるいは、フィルムを用いた位置付け用マーク５が設けられた透明な位置付け用マークプレート６が配置されており、位置付けには、照射筒(b)３の側面から覗き、位置付け用マーク５の中心を照射野中心として被験者の撮影部位に合わせる。また図３(b)に示す照射筒(c)４も照射筒(b)３と同じように照射筒全体が透明で、その先端に位置付け用マーク５が設けられた透明な位置付け用マークプレート６が配置されている。尚、照射筒(c)４は、９０度回転して使用することも可能であり照射筒(c)４に使用する位置付け用マーク５は、十字状ラインのものあるいは、対角線ラインのものがある。このような照射筒を使用することにより被験者への位置付けが、簡単で短時間に素早くでき、術者の経験による位置付けが不要となる。
【図面の簡単な説明】
【０００９】
【図１】図１は、本発明に係るデンタルＸ線撮影装置の外観図の一例である。
【図２】本発明に係るＸ線発生器の外観図である。
【図３】図３(a)及び図３(b)は、本発明に係る照射筒の詳細図である。
【図４】外周に位置付け用ラインの入った照射筒の詳細図である。
【符号の説明】
【００１０】
１  Ｘ線発生器
２  照射筒(a)
３  照射筒(b)
４  照射筒(c)  
５  位置付け用マーク
６  位置付け用マークプレート
７  位置付け用ライン
【図１】
2006006779.tif 000003
【図２】
2006006779.tif 000004
【図３】
2006006779.tif 000005
【図４】
2006006779.tif 000006
(57)【要約】 【課題】  ゴルフボールに固有のマークを付着する際に使用し、固有のマークを綺麗に正確に簡単に付着することができるゴルフボールマーカーを提供するものである。【解決手段】  合成樹脂材料で型成形された半球状の殻体１であり、この半球状の殻体１に透孔３及び/又はスリットを形成してあるものである。【選択図】    図１
2006006758.tif 000002
【特許請求の範囲】
【請求項１】
合成樹脂材料で型成形された半球状の殻体であり、この半球状の殻体に透孔及び/又はスリットを形成してあるゴルフボールマーカー。
【請求項２】
上記半球状の殻体に複数の小孔を形成してある上記請求項１に記載のゴルフボールマーカー。
【請求項３】
上記半球状の殻体の縁にフランジを設けてある上記請求項１又は２に記載のゴルフボールマーカー。
【請求項４】
上記半球状の殻体が透明である上記請求項１乃至３の何れかに記載のゴルフボールマーカー。
【発明の詳細な説明】
【技術分野】
【０００１】
本発明は、ゴルフボールに自他識別用のマークを付着するゴルフボールマーカーに関する。
【背景技術】
【０００２】
ゴルフゲームは、ゴルフコース内において同時に２〜４人が各自自分のゴルフボールを打って進行する。ゴルフボールは同じ大きさで通常白色であるため、ゴルフコース内にある２〜４個のボールの区別が困難である。ゴルフボールにはその表面にそのゴルフボール固有のマークが黒、青、緑、赤等の不滅インキによって表示され、これにより区別できるようになっている。しかし、ゴルフコース内のインプレー中のボールは、特別の場合を除きピックアップできない。状況によってはボールをピックアップしなければこのボールマークを確認できないこともある。通常はあり得ないがお互いボールを確認しないで、たまたま同伴競技者が同じマークのボールを使い、区別できない状況になることもある。また、他人のボールを誤って打った場合には、誤球として罰則が課せられる。
このようなことがないように、誤球を好まないゴルフプレーヤーは、自分のボールの六方に固有のマークを不滅インキによって付着し、どのような状況にあっても自分のボールであることを確認できるようにしている人もいる。
【発明の開示】
【発明が解決しようとする課題】
【０００３】
本発明は、上記のような背景技術に鑑み、ゴルフボールに固有のマークを付着する際に使用し、固有のマークを綺麗に正確に簡単に付着することができるゴルフボールマーカーを提供するものである。
【課題を解決するための手段】
【０００４】
そのために、本発明ゴルフボールマーカーは、合成樹脂材料で型成形された半球状の殻体であり、この半球状の殻体に透孔及び/又はスリットを形成してあるものである。
又、本発明ゴルフボールマーカーは、上記半球状の殻体に複数の小孔を形成してある。さらに、本発明ゴルフボールマーカーは、上記半球状の殻体の縁にフランジを設けてある。
次に、本発明ゴルフボールマーカーは、上記半球状の殻体が透明である。
【発明の効果】
【０００５】
本発明ゴルフボールマーカーは、合成樹脂材料で型成形された半球状の殻体であり、この半球状の殻体に透孔及び/又はスリットを形成してあるから、半球状の殻体をゴルフボールに被せ、これらを一体に把持し、不滅インキのマーカーペンを殻体の透孔又はスリットに沿わせてボール表面に記入し、ボール表面に固有のマークを綺麗に正確に簡単に付着することができる効果がある。
【０００６】
又、本発明ゴルフボールマーカーは、上記半球状の殻体に複数の小孔を形成してあるから、複数の小孔にマーカーペンを差し込んで、ボール表面のディボットに複数の斑点状のマークを付着することができる効果がある。
さらに、本発明ゴルフボールマーカーは、上記半球状の殻体の縁にフランジを設けてあるから、ボールに被せた殻体の縁を把持して安定してボールにマークを付着できる効果がある。
次に、本発明ゴルフボールマーカーは、上記半球状の殻体が透明であるから、ボールにマークを付着する状況を見て把握しながらボールにマークを付着できる効果がある。
【発明を実施するための最良の形態】
【０００７】
図面に示した好ましい実施例により本発明の詳細を説明する。
図中１が合成樹脂材料で型成形された半球状の殻体である。この殻体１は透明な合成樹脂で型成形されており、ゴルフボールに付着する識別用のマークに適応する形状の透孔、スリットを形成してある。図示した実施例では半球体の中央線に沿ってスリット２を形成してあり、このスリット２の中央位置の真横に円形透孔３を形成してある。
また、図示した実施例では、スリット２を間にして円形透孔３と対称位置に６個の子孔４を形成してある。
さらに、図示した実施例では、スリット２を中心として殻体１の縁の対称位置に半円形に近い縦長の透孔５，５を形成してある。また、この殻体１の縁にはフランジ６を設けてある。
【０００８】
上記の通りの構成からなる本発明ゴルフボールマーカーを使用して、ゴルフボールに識別用のマークを付着するには、次の通りにすればよい。
先ず、本発明ゴルフボールマーカーの殻体１をゴルフボール（図示せず）に被せて把持する。この際、殻体１の縁のフランジ６を把持することによりゴルフボールと殻体１とを安定して把持できる。
このように、ゴルフボールと殻体１とを片方の手に把持した状態で、不滅インキのマーカーペンを他方の手に持ち、ペン先をスリット２に沿って動かし、あるいは円形透孔３の縁に沿って動かして、ゴルフボールにマークを付着することができる。
また、複数の小孔４にマーカーペンを差し込んで、ゴルフボールのディンプルに斑点模様のマークを付着することができる。
【図面の簡単な説明】
【０００９】
【図１】本発明ゴルフボールマーカーの斜面図。
【図２】同じくその正面図。
【図３】同じくその左側面図。
【図４】同じくその右側面図。
【図５】同じくその図３上Ａ−Ａ線に沿う断面図。
【符号の説明】
【００１０】
１  殻体
２  スリット
３  円形透孔
４  小孔
５  透孔
６  フランジ
【図１】
2006006758.tif 000003
【図２】
2006006758.tif 000004
【図３】
2006006758.tif 000005
【図４】
2006006758.tif 000006
【図５】
2006006758.tif 000007
(57)【要約】      （修正有）【課題】使用済みの取って付きカップ等を洗浄したあとに、塵や埃、水滴の残りなど気にせずに、また  台所、洗面台等の平面部分のスペースをひろく使用できるようにするフックを提供する。【解決手段】取って付きのカップ等を吊り下げておく場合に、取っての部分を１カ所で支えるのではなく、支点を２カ所にし  なおかつ左右の支点に高低差をつける。【選択図】図３
2006334363.tif 000002
【特許請求の範囲】
【請求項１】
取って付きの  カップ等を吊り下げたときに、飲み口が下方向けに吊り下げる事ができる  カップ掛け。
【発明の詳細な説明】
【技術分野】
【０００１】この発明は  取って付きカップ等を  洗浄後に吊り下げたとき、飲み口が下方向けになるように工夫したものです。
【背景技術】
【０００２】従来の取って付きカップ等を  吊り下げる製品は、カップの底の部分に重量が偏っている特性のため、カップ等の飲み口は必ず  上方向けにしか吊り下げることができませんでした。
【発明の開示】
【発明が解決しようとする課題】
【０００３】これは、次のような欠点があった。
▲１▼  従来の製品では、カップ等を  洗浄後吊り下げると、カップ等の底に水滴が残る。
▲２▼  飲み口部分が上方向きのため、塵や埃がカップ等の中に入る。
▲３▼  カップ等を逆さに掛けるカップ立て等は、平面に置くため台所や洗面台の平面部分の場所をとる。
この発明は以上の欠点をなくすためになされたものである。
【課題を解決するための手段】
【０００４】本発明品は取って付きの  カップ等を吊り下げるとき取っ手の部分を１点で支えるのではなく、２点で支えることによりカップ等の  飲み口を下方向けに吊り下げる事を  可能にした方法である。
【発明の効果】
【０００５】カップ等を洗浄後、本製品に吊り下げた場合  飲み口が下方向けに釣り下がるので、カップ等の底に水滴が残らず  また  塵や埃などの進入もなく、衛生的である。電気、ガスの使用もなく乾燥ができ  省エネルギー効果にもなります。本発明品は  台所や洗面台等の  壁面や棚の部分に取り付ける為平面部分のスペースを広く確保できる。
【発明を実施するための最良の形態】
【０００６】以下、本発明を実施するための最良の形態について説明します。従来の取って付きのカップ等を吊り下げる製品は、棒状や幅の少ない板状の物をフック状に折り曲げて使用していたため、支点が１カ所で吊り下げていました。本発明は幅のある板状の物の左右の端の部分を、フック状に折り曲げなおかつ左右のフックの位置に高低をつけ、支点を２カ所したものである。
【図面の簡単な説明】
【０００７】
【図１】本発明の  正面図である。
【図２】本発明の  左側面図である。
【図３】本発明の  左斜面図である。
【図１】
2006334363.tif 000003
【図２】
2006334363.tif 000004
【図３】
2006334363.tif 000005
(57)【要約】【課題】眼鏡がくもる、飲食がそのまま出来る。花粉症など、鼻への花粉、ほこり等のの侵入を防御する為の鼻マスク。【解決手段】粘着シート（１）の中央に穴（２）を設け、中央の穴にフィルター（３）を設ける。また、粘着シート（１）又はフィルター（３）に香料、薬剤などを染み込ませる事もできる粘着シート鼻マスクを特徴とする。【選択図】      図１
2006334370.tif 000002
【特許請求の範囲】
【請求項１】
（イ）粘着シート（１）の中央に穴（２）を設ける。
（ロ）中央の穴（２）にフィルター（３）を設ける。
また、粘着シート（１）又はフィルター（３）に香料、薬剤などを染み込ませる事もできる。
以上の構成からなる、鼻マスクである。
【発明の詳細な説明】
【技術分野】
【０００１】この発明は、粘着シートの中央に穴を設け、その部分にフィルターを設けた粘着シート式鼻マスクに関するものである。
【背景技術】
【０００２】従来、鼻、口全体を覆い隠すマスクがあった。
【発明の開示】
【発明が解決しようとする課題】
【０００３】これは、次のような欠点があった。
従来、マスクは口、鼻を覆い隠すものであったが、花粉症などで鼻腔内に花粉がが入る事を防ぐ事に重点をおく使用において、眼鏡がくもる、飲食などの際に外さなければならない、口からの息で息苦しい等の欠点が多かった。
本発明は、以上のような欠点をなくす為になされたものである。
【課題を解決するための手段】
【０００４】（イ）粘着シート（１）の中央に穴（２）を設ける。
（ロ）中央の穴（２）にフィルター（３）を設ける。
また、粘着シート（１）又はフィルター（３）に香料、薬剤などを染み込ませる事もできる。
以上の構成からなる、鼻マスクである。
【発明の効果】
【０００５】フィルターが、鼻腔を直接覆う事により、眼鏡がくもる事もなく、飲食の際にも気にする事がなく、口からの息による息苦しさもなくなった。
また、香料、薬剤を粘着シート、又はフィルターにしみ込ませる事により爽快感、花粉症などその他香り吸引による治療効果を得られた。
【発明を実施するための最良の形態】
【０００６】以下、本発明を実施する為の最良の形態について説明する。
鼻に相当する大きさの粘着シート（１）の中央に穴（２）をあけ、中央の穴に不織布などのフィルター（３）を設ける。
この時シートの伸縮性が足りなく鼻に密着しにくい場合、シート上部にくぼみ（４）を設け、鼻の周りに密着させればいい。
また、粘着シート（１）又はフィルター（３）に香料、薬剤などを染み込ませる。
本発明は、以上のような構造でこれを使用するときは、粘着シートを鼻に装着し、花粉等、殺菌が鼻腔内に入らないようにすれば良い。
また、香料、薬剤を粘着シート、又はフィルターにしみ込ませる事により爽快感、花粉症などその他香り吸引による治療効果を得れば良い。
【図面の簡単な説明】
【０００７】
【図１】本発明の装着図です。
【図２】本発明の分解斜視図です。
【符号の説明】
【０００８】１  粘着シート
２  穴
３  フィルター
４  くぼみ
【図１】
2006334370.tif 000003
【図２】
2006334370.tif 000004
(57)【要約】【課題】大地震発生時に就寝中であると家財道具転倒落下または天井や壁の破損による人体への災害を防止する事が困難である【解決手段】本発明は就寝中に大地震が発生した際その揺れで自動的にスイッチが入りエアーバックが全身を覆い人的災害を最小にする事ができる【選択図】図１
2006334367.tif 000002
【特許請求の範囲】
【請求項１】
震度５強以上の揺れを感知すると電源スイッチがＯＮとなり高圧エアータンク設置の電磁弁が作動開口し瞬時に格納箱内のエアースプリングがエアーにより膨らみ横蓋設置板スプリングと連動しエアー−バックを所定の方向に放出する
【請求項２】
縦厚布スプリングによりエアーバックを縦方向に広げると同時に横厚布スプリングにより横に広げ瞬時に高圧エアーを０．２５ｍ３送り込みエアーバックに充填する
【請求項３】
震度５強以上の地震の揺れを感知すると高圧エアータンクから瞬時に高圧エアーをエアーバック内に充填する
【請求項４】
エアーバックの両側に高圧エアーを利用したエアージャッキを装着する
高圧エアーを送り込む手動ポンプを数回握るとジャッキ部が１０ｃｍ程度伸びる構造とする減圧弁によりエアージャキ内のエアーを抜くことによりジャッキを縮めることができる
【請求項５】
エアーバック上部に強化アクリル樹脂板を設置し家財道具の転倒等による直接被害を防止する
【発明の詳細な説明】
【発明の詳細な説明】
【０００１】本発明は夜間就寝時に震度５強以上の地震が発生した際自動的に護身用エアーバックが身体を覆い家財道具等の転倒落下による被災を軽減できるものである
【０００２】家財道具転倒による身体圧迫があったときはエアージャッキを家財道具と寝具の間に固定し高圧エアー手動ポンプを利用し１０ｃｍ程度持ち上げ脱出することが可能となる
【産業上の利用分野】
【０００３】近年災害が多発し特に大地震による災害から身を守る事が出来ないものか対策が急がれる本装置を開発製造販売を行なうことにより大いなる市場が期待できる
【背景技術】
【０００４】家具転倒防止用品器具金具などを取り付けて被災防止策としているのが現状である
【発明が解決しようとする課題】
【０００５】夜間就寝時に大地震が発生し天井や壁の破損が大きく家財道具が転倒する事を防止出来なくなった時は人的災害の増大が懸念される
【課題を解決するための手段】
【０００６】本発明は就寝時震度５強以上の強い揺れを感知した時自動的にスイッチＯＮとなり３秒以内にエアーバックが作動し身体を覆い家財道具又は落下物による人的災害を最小に留める事ができる身体が挟まれた時は備え付けの高圧エアー利用のエアージャッキを利用し脱出する事が容易になる
【実施例】
【０００７】就寝の際寝具の足部側５０ｃｍ内に本装置を矢印寝具側に向けセットし５秒後装置のメインスイッチをＯＮとし表示灯を確認する  揺れを感知し作動するとエアーバック内に０．２５ｍ３の空気が瞬時に充填されこれで人体を覆う事により災害から身を守ることができる
【発明の効果】
【０００８】本発明は新規性において全く類似製品は無くまた社会性においても大地震時に人的災害を最小にすることが出来ることで社会に貢献できる製品として大いに期待できる
【発明を実施するための最良の形態】
【０００９】高圧エアーを使用することになるのでエアーバックの気密性と丈夫な素材また軽量化が要求される事になる空気ボンベ減圧弁に取り付ける電磁弁ソレノイドバルブとエアーホースは特殊となる各専門業者と３秒間でエアーバックに圧縮空気を充填する最良の形態を協議しまた安価で市場に提供できる様協力要請をおこなう
【図面の簡単な説明】
【００１０】
【図１】〔格納図〕エアーバック一式の格納図である
【図２】〔作動開始図〕圧縮エアーによるエアーバック放出開始図である
【図３】〔作動後図〕寝具上エアーバック展開図である
【図４】〔横断及び断面図〕
【図５】〔平面図及び防御板配置図〕アクリル樹脂防御板と硬布スプリング配置図である
【図６】〔簡易エアージャッキ〕
【符号の説明】
【００１１】▲１▼上蓋
▲２▼エアーホース固定部
▲３▼板スプリング
▲４▼横蓋
▲５▼エアーホース
▲６▼エアー圧スプリングＯＦ
▲７▼寝具
▲８▼高さ４５ｃｍ
▲９▼ずれ止め用具
▲１０▼巾４５ｃｍ
▲１１▼地震揺れ感知器ＯＦ
▲１２▼電源
▲１３▼高圧エアータンク
▲１４▼減圧弁
▲１５▼電磁弁
▲１６▼エアー圧スプリングＯＮ
▲１７▼地震揺れ感知器ＯＮ
▲１８▼エアーバック
▲１９▼横厚布スプリング
２０エアーバック側面図
２１アクリル樹脂板
２２エアーバック断面図
２３防災用シート
２４全長          ２２５ｃｍ
２５全高              ８ｃｍ
２６全巾          １２０ｃｍ
２７エアージャッキ配置図
２８エアーバック巾  １５ｃｍ
２９横厚布スプリング平面
３０縦圧布スプリング平面
３１強化アクリル板平面
３２エアーホース
３３エアージャッキ
３４エアーバックＯＦ
３５エアーバックケース
３６圧縮空気弁
３７ジャッキＯＦ高さ２０ｃｍ
３８直径  ６ｃｍ
３９排気弁
４０固定金具
４１安全カバー
４２手動ポンプ
４３高圧空気ホース
４４ジャッキＯＮ高さ３０ｃｍ
【図１】
2006334367.tif 000003
【図２】
2006334367.tif 000004
【図３】
2006334367.tif 000005
【図４】
2006334367.tif 000006
【図５】
2006334367.tif 000007
【図６】
2006334367.tif 000008
(57)【要約】      （修正有）【課題】机上の書類、文房具の落下を防ぐ器具を提供する。【解決手段】ゴム製のＴ字型、レール状のものであり、本体の下部Ｌ字型内側の部分に粘着テープを装着したことを特徴とする書類、文具等落下防止器具である。【選択図】図１
2006334362.tif 000002
【特許請求の範囲】
【請求項１】
ゴム製のＴ字型、レール状のものであり、本体の下部逆Ｌ字型の部分に粘着テープを装着した、机上の書類や文房具が机から落下するのを防止する器具。
【発明の詳細な説明】
【発明の詳細な説明】
【技術分野】この発明は、ゴム製のＴ字型、レール状のものであり、本体の一部に粘着テープを装着した器具。書類、文房具等の机上からの落下防止器具に関するものである。
【背景技術】机の側面にサイドボード等をあてて大きなものは落下しにくい様になったものはあるが、筆記具や書類等は机とサイドボードとの隙間から落下する事がある。
【発明が解決しようとする課題】
机上の書類や文房具が机から落下すると、それらが床で汚れたり、紛失する事がある。本発明は以上のような問題点を解決する為の物である。
【課題を解決するための手段】
ゴム製のＴ字型、レール状のものであり、本体の下部逆Ｌ字型の部分に粘着テープを装着する。本発明は以上の構成よりなる書類、文房具等の机上からの落下防止器具である
【発明実施の形態】
以下、本発明の形態について説明する。
ゴム製のＴ字型、レール状のもの下部逆Ｌ字型の内側部分に粘着テープを装着する。
本発明は以上のような構成で、これを使用するときは、机の端に粘着テープで固定して使用する。
【発明の効果】
▲１▼  書類、文房具等が机の下に落下しにくくなる。
▲２▼  本体はゴム製なので、任意の長さで簡単に切断し貼りつけることができる。
▲３▼  ゴム製なので、手が当たってもけがをしない。
▲４▼  隣の机との境目がハッキリする。
【図面の簡単な説明】
【図１】本発明の斜視図
【図２】本発明の断面図
【符号の説明】
１  本体
２  粘着テープ
【図１】
2006334362.tif 000003
【図２】
2006334362.tif 000004
(57)【要約】【課題】椅子等に座り、もしくは仰向けに寝て頂部半球状の突起物３・３に患部を押し当て、自分の体重をかける事により筋硬直した部位もしくは壷を刺激して、力無用で指圧や揉み解しが出来るマッサージ器具を提供する。【解決手段】基盤１の表面に、点圧をかけるための頂部半球状の平行する突起物３・３を左右に一定の間隔を存して設け、該頂部半球状の突起物３・３が必要以上の荷重が加わることのないように、該頂部半球状の突起物３・３の間に、過負荷防止装置として、制圧材２を設けることにより心地よい刺激を与える事が出来る効果を発揮する。【選択図】        図２
2006334373.tif 000002
【特許請求の範囲】
【請求項１】
基盤１の表面に、点圧をかけるための頂部半球状の平行する突起物３・３を左右に一定の間隔を存して設け、該頂部半球状の突起物３・３が必要以上の荷重が加わることのないように、該頂部半球状の突起物３・３の間に、過負荷防止装置として制圧材２を設けたマッサージ器具。
【発明の詳細な説明】
【技術分野】
【０００１】  本発明は、人体の背面に点圧をかける事により筋硬直した患部を刺激して弛緩させるためのマッサージ器具に関する。
【背景技術】
【０００２】  手技三法として、奈良時代中国から伝来し、身体を揉んで筋肉を調整し、血液の循環をよくする按摩療法と、明治時代にヨーロッパで発達しアメリカから輸入され、さする、押す、揉む、叩く等が効果的に組み合わされたマッサージ療法、および、大正時代に日本で発生し発展した、局所を指などで揉み、叩くなどして神経を刺激し、血行を盛んにする指圧療法が有る。【０００３】  そこで、機器を用いて、電力で、揉む、押す、叩くを行う方法と、器具を用いて施療を施すものがある（特許文献１）。
【特許文献１】実用新案登録第３１０６１２７号  公報
【発明の開示】
【発明が解決しようとする課題】
【０００４】  手技三法である按摩療法、マッサージ療法、指圧療法とも施療を他人に依存しなければならない。【０００５】  手技三法、器具および機器を用いる療法は、すべて筋肉、神経等に対して揉む、押す、叩く等の動荷重がかかる。【０００６】  手技三法、器具および機器を用いる療法とも始めの内は軽圧力で施療できるが、施療の頻度が増すごとに筋硬直が増してくるため、施療の効果を出すには加圧力を増大しなければならない。【０００７】  加圧力を増大する事により摩擦力が増大する。そのため皮膚表面に摩擦傷が生じたり、筋肉に腫れが生じたりする等の問題があった。
【課題を解決するための手段】
【０００８】  上記の課題を解決するために、本発明は、基盤１の表面に点圧をかけるための、頂部半球状の平行する突起物３・３を左右に一定の間隔を存して設け、該頂部半球状の突起物３・３に、仰向けに寝る、もしくは椅子等に座って背面の患部を押し当てる。【０００９】  その場合、頂部半球状の突起物３・３に当接すると荷重が掛かり過ぎる為に、過負荷防止装置として、制圧材２を、頂部半球状の突起物３・３の間に設ける事により適切な点圧を提供する事が出来る。
【発明の効果】
【００１０】  本発明は、身体を揺すったり身体の一部を振動させたりするような動荷重をかけないで、患部を頂部半球状の突起物３・３にゆっくりと押し当て、体重をかける静荷重によって筋硬直を弛緩させることができる。【００１１】  他人に依存することがないので、力の強弱、技量も関係なく、子供から老人、男性女性の区別なく自分自身で施療をする事ができる。【００１２】  そして、頂部半球状の突起物３・３間に設けてある制圧材２によって、頂部半球状の突起物３・３による強い刺激を緩和（制圧材２の突出方向面と身体との接触にともなう頂部半球状の突起物３・３によって与える過負荷を緩和）して、頂部半球状の突起物３・３での心地よい刺激を与えることも出来る効果を発揮する。【００１３】  治療に特別な時間を設定することなく、テレビを観ながら、もしくは究極、時間に余裕のない人でも睡眠時に本発明を利用すれば目覚めた時には施療が満足できる。
【発明を実施するための最良の形態】
【００１４】  以下、本発明の実施の形態を添付図面に基づいて説明する。この本発明の実施形態では、図１および図２に示すように、静荷重点圧装置である頂部半球状の突起物３・３と、過負荷防止装置である制圧材２を基盤１の表面に設けてある。上記基盤１の表面に突出させて設ける頂部半球状の突起物３・３は、一体成型や別物品を取り付けて（例えば接着剤や止具を介し固着する方法により）設け、また制圧材２も上記のように一体成型や固着して設ける。【００１５】  図面では、頂部半球状の突起物３・３と、制圧材２の組み合わせは一組であるが、複数組取り付けることも可能である。【００１６】  それぞれの形状は、頂部半球状の突起物の材料形状は頂部半球状円柱体および頂部半球状多角柱体に、制圧材は多角柱体および円柱体に、基盤も図面では長方形であるが、多角形もしくは円形でも可能である。【００１７】  上記のように構成すると、人体の背面は、平面ではなく凹凸の両面になっている。凹面の患部に点圧がかかるには、頂部半球状の突起物３・３を高くする。【００１８】  頂部半球状の突起物３・３を高くすると、凸面の患部を施療する場合、必要以上の荷重がかかる【００１９】  上記過負荷に対して、頂部半球状の突起物３・３の間に、過負荷防止装置として制圧材２を設置することにより、患部に安定した静荷重の点圧を提供する事ができる。【００２０】  なお、制圧材２は、頂部半球状の突起物３・３の間に設けてあり、制圧材２の突出度合い（基盤１の表面に対する）は、頂部半球状の突起物３・３の突出度合いよりも小さくしてある。すると施療する患部に頂部半球状の突起物３・３の尖端が当接する。【００２１】  この静荷重の点圧が、手技三法による療法および、器具、機器を用いて行う療法の様に、加圧力を増大することなく筋硬直を弛緩する事ができる。【００２２】    また、基盤１の長さ方向を、頂部半球状の突起物３・３の端面で切断せずに約２倍の寸法を保持するのは、人体の背面で施療するため身体を動かさずに本発明品を縦、横、斜めと自在に操作するための必要長さである。【００２３】  材質は、温かみを出すときは木材を、冷たさを出すときは金属を、また一体で成型する時は合成樹脂を使用する。
【図面の簡単な説明】
【００２４】
【図１】本発明の実施形態を示す平面図である。
【図２】同上の正面図である。
【符号の説明】
【００２５】１      基盤
２      制圧材
３      頂部半球状の突起物
【図１】
2006334373.tif 000003
【図２】
2006334373.tif 000004
(57)【要約】      （修正有）【課題】より顔の精悍さと美観を誇るアクセサリ−。【解決手段】製品は０．２ミリ〜０．３ミリの軽量であるので重みは感じないので装着してもそう違和感はなく．ロ−マ時代の貴族風な精悍さがでて，現在のファツシヨン界にマツチングすればよい。【選択図】図２
2006334378.tif 000002
【特許請求の範囲】
【請求項１】
加工材料は樹脂，金属，その他何材でも由．鼻の形状を作り顔のアクセサリ−として美を特徴とするものである．
【発明の詳細な説明】
【発明の詳細な説明】
【技術分野】
【０００１】本発明は顔のポイントアクセサリ−に関したものである。
【技術分野】
【０００２】従来，西洋，東洋よりの顔の装飾品としてのアクセサリ−では，鼻の上に乗せ装着するものは此れまでにはまだない．
【発明が解決しようとする課題】
【０００３】これには次のような不満点があつた．
（イ）人はより顔に美を求めている．顔部分には色んなアクセサリ−が付け飾りしているが，鼻に装着したアクセサリ−はなく，本発明品はより顔の精悍さを出すことを特徴としたものである．
【課題を解決するための手段】
【０００４】ただ鼻の上に乗せるだけではその美観がアピ−ルすることが出来ない．そこで，古代ロ−マ−的で貴族風なデザインにより顔に一層精捍さを出すことができる．
【発明を実施するための最良の形態】
【０００５】以下，本発明の実施の形態を説明する．
（１）  鼻の形状を取るため鼻に石膏を塗り型を取る．
（２）  次にその鼻型を砂型で硬め形取りし，その形窪みのところにアルミ材を流し込む．
（３）  冷えたアルミ形を取り出し，次に量産体制に入るため金型を作る．
（４）  一つの形でもつて色んな加工手法によりデザインが出来る．
【０００６】これを加工するときは，本体の厚みを０．２〜０．３ミリにした．
【０００７】本発明の実施の形態は，ブリキ材料，鋳造材，樹脂材，あらゆる材質を用いても制作可能である．
【発明の開示】
【０００８】今や人には欠かせない顔のアクセントとして，顔のいたる所にアクセサリ−がつけられている．鼻にこの本体を装着する事により，より精悍な顔だちになり古代ロ−マ−的な貴族風貌になれる．
【図面の簡単な説明】
【０００９】
【図１】  本発明の製品用型制作を示す説明図である．
【図２】  本発明の部品制作図面である．
【図１】
2006334378.tif 000003
【図２】
2006334378.tif 000004
(57)【要約】【課題】  靴下は、靴等の密閉状態の中で長時間着用しているため、細菌の繁殖・におい等が発生し、不潔になりやすかった。  そのため、使用済み靴下を他の衣類等と一緒に洗濯することに抵抗感があった。【解決手段】  バッグを構成している素材の中に、殺菌・消臭・漂白等のための薬品等を内蔵、または添付加工したものをネット仕立てにした本体と、フィルタ様のメッシュバッグの素材についても、殺菌・消臭・漂白等のための薬品等を内蔵、または添付加工した靴下除菌バッグである。【選択図】  図  １
2006334377.tif 000002
【特許請求の範囲】
【請求項１】
素材の中に、殺菌・消臭・漂白等のための薬品等を内蔵、または添付加工してネット仕立てにしたバッグ本体と、殺菌・消臭・漂白等のための薬品等を内蔵、または添付加工したフィルタ様のメッシュバッグを各々単独で、または本体とフィルタ様のメッシュバッグを併せ使用する靴下除菌バッグ。
【発明の詳細な説明】
【技術分野】
【０００１】  本発明は、使用済みの汚れた靴下を殺菌・消臭・漂白等するための靴下除菌バッグに関する。
【背景技術】
【０００２】  従来の衣料品の中には、銀メッキされた繊維素材を使用して、発生する銀イオンの殺菌或いは抗菌作用により、老廃物による細菌の繁殖を防ぐように作られたものがある。（例えば特許文献１参照）【０００３】
【特許文献１】  特許公開平１０−７２７０４
【発明の開示】
【発明が解決しようとする課題】
【０００４】  従来の靴下すべてに、抗菌等加工が施されているわけではなく、靴のような密閉状態の中で長時間着用した場合、汗・脂等の分泌物や皮膚の角質層の剥がれやほこり等で、細菌の繁殖・におい等が発生しやすいという問題点があった。【０００５】  また、汚れた靴下は、日常、他の下着や衣類等と一緒に洗濯しているが、靴下と衣類等では、汚れ等の程度に差があり、他の衣類等と一緒に洗濯機にかけるということに、少なからず抵抗感があった。
本発明は、これらの問題点を解決するために発明されたものである。
【課題を解決するための手段】
【０００６】  上記の問題点を解決するために、本発明は、靴下除菌バッグを構成している素材の中に殺菌・消臭・漂白等のための薬品等を内蔵または添付加工したものをネット仕立てにしたものを本体とする。【０００７】  除菌効果の劣化に応じて、取替え用としても使用できるフィルタ様のメッシュバッグの素材も、殺菌・消臭・漂白等のための薬品等を、内蔵または添付加工したものとする。【０００８】  靴下除菌バッグは、上記【０００６】・【０００７】を単独または併せ、二重にして使用する。
【発明の効果】
【０００９】  汚れた靴下を他の衣類等と一緒に洗濯しても、雑菌等は、除菌されるため清潔である。【００１０】  靴下だけをまとめて靴下除菌バッグに入れるため、他の衣類等にからまったり、女性のストッキング等が破れたり伝線することはない。【００１１】  雑菌等が付着した靴下を集中して除菌するので、他の衣類等が汚れたり、不潔になったりすることはない。また、併せて使用することにより、強力な除菌効果を発揮する。
【発明を実施するための最良の形態】
【００１２】  靴下除菌バッグの本体は、殺菌・消臭・漂白等の薬品を内臓または添付加工した素材をネット仕立にしたものである。【００１３】  靴下除菌バッグは、本体またはフィルタ様のメッシュバッグをそれぞれ単独で使用するか、またはフィルタ様のメッシュバッグを取替え用として、本体と併せ使用する。
以上の構成で、これで洗濯する時は、汚れた靴下をこの靴下除菌バッグに入れ、他の洗濯物と一緒に洗濯機にかける。
【実施例】
【００１４】  靴下除菌バッグのファスナ部分を、面ファスナ・紐等に替える。
【図面の簡単な説明】
【００１５】
【図１】  本発明に係る本体正面図
【図２】  本発明に係るフィルタ様のメッシュバッグ正面図
【図３】  本発明に係る本体断面図
【図４】  本発明に係るフィルタ様のメッシュバッグ断面図
【符号の説明】
【００１６】  １  本体
２  ファスナ
３  フィルタ様のメッシュバッグ
４  面ファスナ
【図１】
2006334377.tif 000003
【図２】
2006334377.tif 000004
【図３】
2006334377.tif 000005
【図４】
2006334377.tif 000006